(57)【要約】【課題】施術の際、ツイーザで、１本取りたいのに複数本つまんで、無駄にしたり、時間がかかったりするのを防ぎ、施術時間を短くすることのできるまつ毛エクステ用シートを提供する。【解決手段】  まつ毛エクステ用シート２０は、複数本のまつ毛エクステ１０を整列させて、分離可能に形成したものである。そして、所定形状の伸縮可能な素材からなるまつ毛エクステ用シート２０と、このまつ毛エクステ用シート２０に分離可能に形成された複数本のまつ毛エクステ１０とを備える。【選択図】図２
2017222942.tif 000002
【特許請求の範囲】
【請求項１】
複数本のまつ毛エクステを整列させて、分離可能に形成したまつ毛エクステ用シートであって、
所定形状の伸縮可能な素材からなるシートと、
該シートに分離可能に形成された前記複数本のまつ毛エクステと
を備えることを特徴とするまつ毛エクステ用シート。
【請求項２】
前記まつ毛エクステ用シートは、少なくともまつ毛エクステに対して、横方向に伸縮可能に形成されていることを特徴とする請求項１記載のまつ毛エクステ用シート。
【請求項３】
前記まつ毛エクステ用シートは、透明なアクリルゲルシートであることを特徴とする請求項１又は２記載のまつ毛エクステ用シート。
【請求項４】
前記まつ毛エクステ用シートは、シリコン、ゴム、フランネル、リント布素材、不織布のいずれかであって、毛羽立たないものであることを特徴とする請求項１又は２記載のまつ毛エクステ用シート。
【発明の詳細な説明】
【技術分野】
【０００１】
本発明は、まつ毛エクステ用シートに関する。
【背景技術】
【０００２】
従来からまつ毛エクステの毛を整列して分離可能に形成したまつ毛エクステのセット固定用単位シートが知られている。そして、シートはすべて紙素材で、表面にまつ毛エクステを貼り付け裏が粘着シールになっている。
つまり、図４で示すように、まつ毛エクステで使用する人工エクステンション毛（「エクステ」とも称する）１００は、紙素材のまつ毛エクステ用シート２００の上に貼り付けて、ケースＫに入って販売されている。まつ毛エクステ１００は付けまつ毛ではなく、1列ごとにカットされているため、まつ毛エクステ１００をまつ毛エクステ用シート２００から剥がして、まつ毛に付けて施術している。
【０００３】
従来から、予め定められた本数のまつ毛エクステ１００がセット用のまつ毛エクステ用シート２００に整列されて取り付され、まつ毛エクステ用シート２００から分離可能に形成されている。そして、縦数字表記部が形成された単位表記紙から上記まつ毛エクステ用シート２００が分離可能に形成する技術が提案されている（特許文献１）。
【先行技術文献】
【特許文献】
【０００４】
【特許文献１】特開２０１０−２０９５０３号公報
【発明の概要】
【発明が解決しようとする課題】
【０００５】
しかし、特許文献１のようなまつ毛エクステ用シート２００を紙素材としたものは、施術の際、ツイーザで、１本取りたいのに複数本つまんでしまうため、多くのまつ毛であるまつ毛エクステ１００を無駄にしたり、時間がかかったりするという不都合がある。
【０００６】
特に、施術をするサロン等では、時間短縮は非常に重要な事である。すなわち、施術される場合、施術している間、ジーと目を閉じたまま動かない姿勢をしている必要があるが、施術時間が少ない方が好ましい。特に腰や首が痛い場合には楽な方がよい。また、時間がない場合にも、短時間の方が便利である。そして、グルーの揮発成分による目や粘膜への影響が少なくなるという利点もある。さらに、施術する立場からも、限られた時間で、多数の施術が求められている。
そこで、このような不都合を解決できるまつ毛エクステ用シートが望まれている。
【０００７】
本発明は、上記課題を解決するためになされたものであり、本発明の目的は、施術の際、ツイーザで、１本取りたいのに複数本つまんで、無駄にしたり、時間がかかったりするのを防ぎ、施術時間を短くすることのできるまつ毛エクステ用シートを提供することにある。
【課題を解決するための手段】
【０００８】
前記課題は、本発明のまつ毛エクステ用シートによれば、複数本のまつ毛エクステを整列させて、分離可能に形成したまつ毛エクステ用シートであって、所定形状の伸縮可能な素材からなるシートと、該シートに分離可能に形成された前記複数本のまつ毛エクステとを備えること、により解決される。
【０００９】
このように構成すると、伸縮可能な素材からなるシートに複数本のまつ毛エクステが分離可能になっているので、シートが伸びることで、細いまつ毛エクステが１本ずつ取り易くなり、まつ毛エクステが無駄なく使えるだけでなく、施術時間の短縮が図ることが可能である。
【００１０】
また、このとき、前記まつ毛エクステ用シートは、少なくともまつ毛エクステに対して、横方向に伸縮可能に形成されていると好適である。このように、シートが横に延びるだけで、上記と同様な効果を奏することが可能となる。
【００１１】
さらに、シートが延びるため、シートをカーブさせることが可能になり、フレアー状に束ねる技法にも使用することが可能となる。つまり、施術するときに、個体によりフレアー状にするのが難しく時間がかかる場合が多いので画期的なスピードアップになる。そして、施術する施術者の立場からすると、新技術の修得が容易になり、さらに広まることとなる外、無駄や失敗する毛がかなり少なくなり効率が向上する。
【００１２】
そして、前記まつ毛エクステ用シートは、透明なアクリルゲルシートであるよい。
さらに具体的には、前記まつ毛エクステ用シートは、シリコン、ゴム、フランネル、リント布素材、不織布のいずれかであって、毛羽立たないものであると好適である。
【発明の効果】
【００１３】
本発明によれば、伸縮可能な素材からなるシートに複数本のまつ毛エクステの毛が分離可能になっているので、シートが伸びることで、各まつ毛エクステの間隔が開き、細いまつ毛エクステが１本ずつ取り易くなり、まつ毛エクステが無駄なく使えるだけでなく、施術時間の短縮が図ることが可能である。
【００１４】
特にシートが延びるため、シートをカーブさせることが可能になり、フレアー状に束ねる技法にも使用することが可能となる。つまり、施術するときに、個体によりフレアー状にするのが難しく時間がかかる場合が多いので、本発明によれば画期的なスピードアップになる。そして、施術する施術者の立場からすると、新技術の修得が容易になり、さらに広まることとなる外、無駄や失敗する毛がかなり少なくなり効率が向上する。
さらに述べると、簡単な構成により、施術時間の短縮により、前述した不都合を解決でき、その効果は絶大である。
【図面の簡単な説明】
【００１５】
【図１】本発明に係る実施例の説明図である。
【図２】図１を延ばした状態の説明図である。
【図３】使用状態の一例を示す説明図である。
【図４】従来技術を示す説明図である。
【発明を実施するための形態】
【００１６】
図１及び図２は一実施形態で、図１はまつ毛エクステ用シートの平面図、図２は図１を延ばした状態の説明図、図３は使用状態の一例を示す説明図である。
【００１７】
本実施形態のまつ毛エクステ用シート２０は、複数本のまつ毛エクステ１０を整列させて、分離可能に形成したものである。そして、所定形状の伸縮可能な素材からなるまつ毛エクステ用シート２０と、このまつ毛エクステ用シート２０に分離可能に形成された前記複数本のまつ毛エクステ１０とを備える。
【００１８】
本実施形態のまつ毛エクステ用シート２０は、長方形をしており、少なくともまつ毛エクステ１０に対して、図２の矢印で示すように、横方向に伸縮可能に形成されているものである。本例ではまつ毛エクステ用シート２０を長方形で形成した例を示しているが、波状の細長形状としてもよく、凹凸があってもよい。要は、まつ毛エクステ１０が取り易い形状のものとすることができる。そして、まつ毛エクステ用シート２０を伸長させることによって、隣接するまつ毛エクステ１０の間隔を大きくして、まつ毛エクステ１０を取り易くできるものであれば、特に上記構成に限らない。
【００１９】
その材質は、透明なアクリルゲルシートである。この透明なアクリルゲルシートは、「メークリンゲル」と称されるもので、両面に強い粘着力があり、糊残りがなく、光透明性に優れ、衝撃吸収性に優れるものであり、環境温度においても信頼性の高いものである。
したがって、まつ毛エクステ１０が、まつ毛エクステ用シート２０についていない面を、施術するときに手の甲や近くにある部材等に貼り付け、まつ毛エクステ１０が付いている面を表面に出し、そこから引っ張って、隣接するまつ毛エクステ１０の間隔を広げて取り出して施術する。なお裏面の粘着部分は裏面全面であっても、一部であってもよい。要はまつ毛エクステ１０を取るときに、取り易いように一部を固定できるように構成されていればよい。
【００２０】
さらには、このまつ毛エクステ用シート２０は、毛羽立たないようにして構成されたものであり、伸縮性のある素材として、シリコン、ゴム（ラッテクス、ブチルゴム）、フランネル、リント布素材、不織布のいずれかを採用してもよい。伸縮は最大でも３倍くらいあればよく、実際には、少しだけ伸びればよい。
【００２１】
上記素材からなるまつ毛エクステ用シート２０の場合、まつ毛エクステ１０を平面にカーブを描きながら貼れる。このことによって、まつ毛エクステ用シート２０からまつ毛エクステ１０が１本１本取りやすくなる。また、１本ずつの毛をフレアー状に束ねて、１本のまつ毛に装着する新技術の際、何本か束ねる施術においても、大変使いやすく時間短縮になる。
【００２２】
図３で示すように、まつ毛エクステ用シート２０の裏面の粘着部分（一部でもよい）を固定し、まつ毛エクステ用シート２０をカーブになるように折り曲げ、まつ毛エクステ１０の自由端側を開かせ、1本、或いは複数本を取り、グルーをつけると、根本が閉じて、そのまま地まつ毛に装着できる。これにより、１本の地まつ毛にまつ毛エクステ１０を１本ずつ装着することも、１本の地まつ毛に複数本のまつ毛エクステ１０を装着することもできる。
【００２３】
このように、まつ毛エクステ用シート２０からまつ毛エクステ１０を１本ずつ或いは複数本一緒にとって、ボリュームラッシュ、ロシアンボリューム、エアリーラッシュ、フラワーアイラッシュなどと称される施術を行うことが可能である。つまり、一般には、フレアー状にする為に高度な技術を要するが、この伸縮するまつ毛エクステ用シート２０なら、かなり簡単にフレアー状にできるので、スピードアップになる。
【符号の説明】
【００２４】
１０、１００  まつ毛エクステ
２０、２００  まつ毛エクステ用シート
Ｋ  ケース
【図１】
2017222942.tif 000003
【図２】
2017222942.tif 000004
【図３】
2017222942.tif 000005
【図４】
2017222942.tif 000006
【手続補正書】
【提出日】平成29年1月24日(2017.1.24)
【手続補正１】
【補正対象書類名】特許請求の範囲
【補正対象項目名】全文
【補正方法】変更
【補正の内容】
【特許請求の範囲】
【請求項１】
複数本のまつ毛エクステを整列させて、分離可能に形成したまつ毛エクステ用シートであって、
隣接する前記まつ毛エクステの間隔を広げる方向に伸縮可能な素材からなる所定形状のシートと、
該シートに分離可能に形成された前記複数本のまつ毛エクステと
を備えることを特徴とするまつ毛エクステ用シート。
【請求項２】
前記まつ毛エクステ用シートは、透明なアクリルゲルシートであることを特徴とする請求項１記載のまつ毛エクステ用シート。
【請求項３】
前記まつ毛エクステ用シートは、シリコン。ゴム、フランネル、リント布素材、不織布の何れかであって、毛羽立たないものであることを特徴とする請求項１記載のまつ毛エクステ用シート。